(57)【要約】【課題】学校の生徒等の注文者及びラボ等の写真プリント生産店の双方の作業を簡便にしてミスを軽減し、効率的に写真プリント注文を実行することができる写真プリント注文用掲示物及び写真プリント注文システム並びに写真プリント注文方法の提供。【解決手段】学校等の注文者と写真を撮影する写真撮影業者と注文に基づいて写真プリントを作成するラボとを少なくとも備え、ラボでは、写真のフィルムを現像して見本写真６を作成し、見本写真６と、各々の見本写真６に対応する位置に、見本写真６を特定する写真特定情報をコード化して記録したコード化情報記録媒体９を取り出し可能に保持するホルダー１０ａとを配列した見本写真パネル５ａを作成し、注文者は見本写真パネル５ａ等を閲覧して写真を選択し、選択した写真に対応するコード化情報記録媒体をホルダー１０ａから取り出して写真プリントの注文を行う。【選択図】図２
2004333719.tif 000002
【特許請求の範囲】
【請求項１】
写真プリントを注文するために用いられる写真プリント注文用掲示物において、
複数の見本写真が記録され又は貼付され、
各々の見本写真に対応した位置にコード化情報記録媒体を保持する保持手段が設けられ、
前記コード化情報記録媒体には、前記各々の見本写真に対応した画像データ又は写真フィルムのコマを特定するための写真特定情報が記述されていることを特徴とする写真プリント注文用掲示物。
【請求項２】
写真プリントを注文するために用いられる複数の見本写真が記録され又は貼付された見本写真物と、
各々の見本写真に対応した位置にコード化情報記録媒体を保持する保持手段が設けられた保持物とを有し、
前記コード化情報記録媒体には、前記各々の見本写真に対応した画像データ又は写真フィルムのコマを特定するための写真特定情報が記述されていることを特徴とする写真プリント注文用掲示物。
【請求項３】
前記各々の見本写真に対応した位置に、数字、文字又は記号が記録され又は貼付され、該数字、文字又は記号は、前記写真特定情報に対応付けされていることを特徴とする請求項１又は２に記載の写真プリント注文用掲示物。
【請求項４】
前記コード化情報記録媒体に、前記各々の見本写真に対応した前記数字、文字又は記号が視認可能なように記録されていることを特徴とする請求項１乃至３のいずれか一に記載の写真プリント注文用掲示物。
【請求項５】
前記コード化情報記録媒体に、前記写真特定情報で特定される画像データ又は写真フィルムのコマに基づいて作成されるプリントの枚数、サイズ又は文字挿入の有無を指定する情報が記録されていることを特徴とする請求項１乃至４のいずれか一に記載の写真プリント注文用掲示物。
【請求項６】
前記コード化情報記録媒体に、前記プリントの枚数、サイズ又は文字挿入の有無を指定する情報が視認可能なように記録されていることを特徴とする請求項５記載の写真プリント注文用掲示物。
【請求項７】
前記保持手段が、前記プリントの枚数、サイズ又は文字挿入の有無の指定毎に用意されていることを特徴とする請求項５又は６に記載の写真プリント注文用掲示物。
【請求項８】
前記プリントの枚数、サイズ又は文字挿入の有無を指定する情報が、コード化情報として記録され又は貼付されていることを特徴とする請求項１乃至７のいずれか一に記載の写真プリント注文用掲示物。
【請求項９】
前記コード化情報記録媒体は、バーコードであることを特徴とする請求項１乃至８のいずれか一に記載の写真プリント注文用掲示物。
【請求項１０】
請求項１乃至９のいずれか一に記載の写真プリント注文用掲示物と、前記コード化情報記録媒体を貼付する領域が明示された写真プリント注文シートとを少なくとも備え、前記コード化情報記録媒体は、裏面に粘着材が配設されたシール状に形成されていることを特徴とする写真プリント注文システム。
【請求項１１】
写真プリントを注文するために用いられる写真プリント注文用掲示物において、
複数の見本写真が記録され又は貼付され、
各々の見本写真に対応した位置に、画像データ又は写真フィルムのコマを特定するための写真特定情報を記述したコード化情報が記録され又はコード化情報記録媒体として貼付されていることを特徴とする写真プリント注文用掲示物。
【請求項１２】
前記各々の見本写真に対応した位置に、数字、文字又は記号が記録され又は貼付され、該数字、文字又は記号は、前記写真特定情報に対応付けされていることを特徴とする請求項１１記載の写真プリント注文用掲示物。
【請求項１３】
前記コード化情報に対応した領域又は前記コード化情報記録媒体に、前記各々の見本写真に対応した前記数字、文字又は記号が視認可能なように記録されていることを特徴とする請求項１１又は１２に記載の写真プリント注文用掲示物。
【請求項１４】
前記コード化情報に、前記写真特定情報で特定される画像データ又は写真フィルムのコマに基づいて作成されるプリントの枚数、サイズ又は文字挿入の有無を指定する情報が記録されていることを特徴とする請求項１１乃至１３のいずれか一に記載の写真プリント注文用掲示物。
【請求項１５】
前記コード化情報に対応した領域又は前記コード化情報記録媒体に、前記プリントの枚数、サイズ又は文字挿入の有無を指定する情報が視認可能なように記録されていることを特徴とする請求項１４記載の写真プリント注文用掲示物。
【請求項１６】
前記プリントの枚数、サイズ又は文字挿入の有無を指定する情報が、コード化情報として記録され又は前記コード化情報記録媒体として貼付されていることを特徴とする請求項１１乃至１５のいずれか一に記載の写真プリント注文用掲示物。
【請求項１７】
前記コード化情報記録媒体は、バーコードであることを特徴とする請求項１１乃至１６のいずれか一に記載の写真プリント注文用掲示物。
【請求項１８】
複数の見本写真が記録され又は貼付され、各々の見本写真に対応した位置に、前記各々の見本写真に対応した画像データ又は写真フィルムのコマを特定するための写真特定情報が記述されたコード化情報記録媒体を保持する保持手段が設けられた写真プリント注文用掲示物を用いた写真プリント注文方法であって、
写真プリント注文拠点では、写真プリントの注文者により選択された前記見本写真に対応する前記コード化情報記録媒体を写真プリント注文袋に収納し、又は、前記コード化情報記録媒体を貼付する領域が明示された写真プリント注文シートに貼付して注文を行い、写真プリント作成拠点では、コード化情報読み取り手段を用いて前記コード化情報記録媒体のコード化情報を読み取って写真プリントを作成することを特徴とする写真プリント注文方法。
【請求項１９】
複数の見本写真が記録され又は貼付された見本写真物と、各々の見本写真に対応した位置に、前記各々の見本写真に対応した画像データ又は写真フィルムのコマを特定するための写真特定情報が記述されたコード化情報記録媒体を保持する保持手段が設けられた保持物とを用いた写真プリント注文方法であって、
写真プリント注文拠点では、写真プリントの注文者により選択された前記見本写真に対応する前記コード化情報記録媒体を写真プリント注文袋に収納し、又は、前記コード化情報記録媒体を貼付する領域が明示された写真プリント注文シートに貼付して注文を行い、写真プリント作成拠点では、コード化情報読み取り手段を用いて前記コード化情報記録媒体のコード化情報を読み取って写真プリントを作成することを特徴とする写真プリント注文方法。
【請求項２０】
複数の見本写真が記録され又は貼付され、各々の見本写真に対応した画像データ又は写真フィルムのコマを特定するための写真特定情報を記述したコード化情報が記録され又はコード化情報記録媒体として貼付された見本写真掲示物を用いた写真プリント注文方法であって、
写真プリント注文拠点では、写真プリントの注文者により選択された前記見本写真に対応する前記コード化情報記録媒体をコード化情報読み取り手段を用いて読み取って注文情報を作成し、写真プリント作成拠点では、前記注文情報に基づいて写真プリントを作成することを特徴とする写真プリント注文方法。
【請求項２１】
前記コード化情報として、前記写真特定情報で特定される画像データ又は写真フィルムのコマに基づいて作成されるプリントの枚数、サイズ又は文字挿入の有無を指定する情報を記録し、前記コード化情報を読み取ることにより、前記指定を特定することを特徴とする請求項１８乃至２０のいずれか一に記載の写真プリント注文方法。
【請求項２２】
前記コード化情報記録媒体は、バーコードであることを特徴とする請求項１８乃至２１のいずれか一に記載の写真プリント注文方法。
【発明の詳細な説明】
【０００１】
【発明の属する技術分野】
本発明は、写真プリント注文用掲示物及び写真プリント注文システム並びに写真プリント注文方法に関し、特に、写真撮影業者が撮影した写真を注文者が選択して注文する写真プリント注文用掲示物及び写真プリント注文システム並びに写真プリント注文方法に関する。
【０００２】
【従来の技術】
学校が企画する修学旅行、運動会、入学式、卒業式等の行事では、記念となる写真を失敗なく撮影するために、学校が写真撮影業者に撮影を依頼する方法が用いられる。この方法の場合、写真撮影業者は行事に同行して生徒が万遍なく写るようにスナップ写真や集合写真等を撮影し、行事終了後に撮影した写真を見本として提示し、生徒が希望する写真を学校単位でまとめて注文し、ラボにて一括してプリントが作成される。
【０００３】
具体的には、例えば、写真撮影業者が撮影した写真を見本としてパネルに貼り付けて掲示したり、アルバム状に整理して回覧し、生徒は見本写真パネルや見本写真アルバムを閲覧して購入する写真を選択し、図２０に示すような写真プリント注文票１３に学校名や行事名、生徒名、注文年月日、写真の番号、枚数等の注文者や注文の内容を特定する情報を手書きで記入し、クラス単位や学校単位で一括して写真撮影業者に写真プリントの作成を依頼する。そして、写真撮影業者は回収した写真プリント注文票１３をラボ等のプリント生産店に送り、ラボでは写真プリント注文票１３に記載された注文内容を目視で読み取って手入力で集計し、集計した結果に基づいてプリントを作成し、生徒毎に仕分けして注文袋に入れて注文者に送付するという手順で写真プリントが提供される。
【０００４】
また、注文の集計作業に要する時間を短縮し、注文内容の入力ミスを防止するために、注文内容をマークシートを用いて指定する方法もある。例えば、特開平８−２９３００９号公報には、１回の記入で注文できる注文番号を記入する欄と、注文番号を記入する欄及び記入した注文番号に対応する注文枚数を記入する欄とからなる欄の、少なくとも２つの欄を持つ学校写真注文用マークシートが開示されている。
【０００５】
【特許文献１】
特開平８−２９３００９号公報（第４−６頁、第１図）
【０００６】
【発明が解決しようとする課題】
しかしながら、注文内容の手書きし、手作業で読み取りや集計を行う方法の場合、写真プリントの注文を行う生徒は、購入する写真の番号を写真プリント注文票に書き写さなければならないため、多数の写真を注文する場合などでは作業が繁雑となり、また、写真番号の書き写しの際に誤った番号を記載してしまう恐れがある。また、ラボ等のプリント生産店にとっては、クラス毎や学校毎に集められた多数の生徒の写真プリント注文票を目視により読み取って手作業で集計しなければならないため、注文の集計作業に時間がかかってしまい、読み取りミスや集計ミス等が生じる場合がある。特に、注文内容が乱雑に書き込まれている場合には、書かれている数字が読み取れないこともあり、このような場合は希望通りに写真プリントを提供することができなくなってしまう。
【０００７】
また、マークシートを用いる方法では、見本写真の枚数が多くなると見本写真の数に対応する多数のマークシート欄を設けなければならず、写真プリント注文票のサイズが大きくなってしまい、ＯＭＲ等の読み取り装置も大型化してしまうと共に、行事毎に写真プリント注文票を作り直さなければならないという問題もある。そこで、上記公報では、複数桁の各位０〜９までの整数列の注文番号を有する区分を複数設けて構成する方法が記載されているが、マークシートの構成を複雑にすると書き込み作業が複雑になり、記入ミスが起こりやすくなってしまう。
【０００８】
本発明は、上記問題点に鑑みてなされたものであって、その主たる目的は、学校の生徒等の注文者及びラボ等の写真プリント生産店の双方の作業を簡便にしてミスを軽減し、効率的に写真プリント注文を実行することができる写真プリント注文用掲示物及び写真プリント注文システム並びに写真プリント注文方法を提供することにある。
【０００９】
【問題を解決するための手段】
上記目的を達成するため、本発明の写真プリント注文用掲示物は、写真プリントを注文するために用いられる写真プリント注文用掲示物において、複数の見本写真が記録され又は貼付され、各々の見本写真に対応した位置にコード化情報記録媒体を保持する保持手段が設けられ、前記コード化情報記録媒体には、前記各々の見本写真に対応した画像データ又は写真フィルムのコマを特定するための写真特定情報が記述されているものである。
【００１０】
また、本発明の写真プリント注文用掲示物は、写真プリントを注文するために用いられる複数の見本写真が記録され又は貼付された見本写真物と、各々の見本写真に対応した位置にコード化情報記録媒体を保持する保持手段が設けられた保持物とを有し、前記コード化情報記録媒体には、前記各々の見本写真に対応した画像データ又は写真フィルムのコマを特定するための写真特定情報が記述されているものである。
【００１１】
本発明においては、前記各々の見本写真に対応した位置に、数字、文字又は記号が記録され又は貼付され、該数字、文字又は記号は、前記写真特定情報に対応付けされている構成とすることができ、前記コード化情報記録媒体に、前記各々の見本写真に対応した前記数字、文字又は記号が視認可能なように記録されている構成とすることもできる。
【００１２】
また、本発明においては、前記コード化情報記録媒体に、前記写真特定情報で特定される画像データ又は写真フィルムのコマに基づいて作成されるプリントの枚数、サイズ又は文字挿入の有無を指定する情報が記録され、前記コード化情報記録媒体に、前記プリントの枚数、サイズ又は文字挿入の有無を指定する情報が視認可能なように記録されている構成や、前記保持手段が、前記プリントの枚数、サイズ又は文字挿入の有無の指定毎に用意されている構成とすることもできる。
【００１３】
また、本発明の写真プリント注文システムは、上記記載の写真プリント注文用掲示物と、前記コード化情報記録媒体を貼付する領域が明示された写真プリント注文シートとを少なくとも備え、前記コード化情報記録媒体は、裏面に粘着材が配設されたシール状に形成されているものである。
【００１４】
また、本発明の写真プリント注文用掲示物は、写真プリントを注文するために用いられる写真プリント注文用掲示物において、複数の見本写真が記録され又は貼付され、各々の見本写真に対応した位置に、画像データ又は写真フィルムのコマを特定するための写真特定情報を記述したコード化情報が記録され又はコード化情報記録媒体として貼付されているものである。
【００１５】
また、本発明の写真プリント注文方法は、複数の見本写真が記録され又は貼付され、各々の見本写真に対応した位置に、前記各々の見本写真に対応した画像データ又は写真フィルムのコマを特定するための写真特定情報が記述されたコード化情報記録媒体を保持する保持手段が設けられた写真プリント注文用掲示物を用いた写真プリント注文方法であって、写真プリント注文拠点では、写真プリントの注文者により選択された前記見本写真に対応する前記コード化情報記録媒体を写真プリント注文袋に収納し、又は、前記コード化情報記録媒体を貼付する領域が明示された写真プリント注文シートに貼付して注文を行い、写真プリント作成拠点では、コード化情報読み取り手段を用いて前記コード化情報記録媒体のコード化情報を読み取って写真プリントを作成するものである。
【００１６】
また、本発明の写真プリント注文方法は、複数の見本写真が記録され又は貼付された見本写真物と、各々の見本写真に対応した位置に、前記各々の見本写真に対応した画像データ又は写真フィルムのコマを特定するための写真特定情報が記述されたコード化情報記録媒体を保持する保持手段が設けられた保持物とを用いた写真プリント注文方法であって、写真プリント注文拠点では、写真プリントの注文者により選択された前記見本写真に対応する前記コード化情報記録媒体を写真プリント注文袋に収納し、又は、前記コード化情報記録媒体を貼付する領域が明示された写真プリント注文シートに貼付して注文を行い、写真プリント作成拠点では、コード化情報読み取り手段を用いて前記コード化情報記録媒体のコード化情報を読み取って写真プリントを作成するものである。
【００１７】
更に、本発明の写真プリント注文方法は、複数の見本写真が記録され又は貼付され、各々の見本写真に対応した画像データ又は写真フィルムのコマを特定するための写真特定情報を記述したコード化情報が記録され又はコード化情報記録媒体として貼付された見本写真掲示物を用いた写真プリント注文方法であって、写真プリント注文拠点では、写真プリントの注文者により選択された前記見本写真に対応する前記コード化情報記録媒体をコード化情報読み取り手段を用いて読み取って注文情報を作成し、写真プリント作成拠点では、前記注文情報に基づいて写真プリントを作成するものである。
【００１８】
本発明においては、前記コード化情報記録媒体は、バーコードであることが好ましい。
【００１９】
このように、本発明は、写真プリント注文用掲示物に、見本写真を貼付すると共に、見本写真に対応した画像データ又は写真フィルムのコマを特定するための写真特定情報をコード化情報として記録したコード化情報記録媒体を保持手段により取り外し可能に保持し、写真プリント注文袋に挿入又は写真プリント注文シートに貼付するという簡単な方法を用いることにより、注文者は写真特定情報を手書き入力したり、複雑な構成のマークシートに記入する必要がなくなり注文作業が容易となり注文ミスの発生を防止することができると共に、ラボにとってもプリント特定情報を目視で読み取り手入力で集計する必要がなくなり、注文集計作業の負担を軽減し読み取りミスや集計ミスを防止することができる。
【００２０】
【発明の実施の形態】
本発明に係る写真プリント注文システムの第１の形態は、行事を主催する学校等の注文者と、行事に同行し写真を撮影する写真撮影業者と、注文に基づいて写真プリントを作成するラボとを少なくとも備え、ラボでは、写真撮影業者が撮影した写真のフィルムを現像して見本写真を作成し、パネル又は冊子に貼付すると共に、各々の見本写真に対応する位置に、見本写真を特定する写真特定情報をコード化して記録したコード化情報記録媒体を取り外し可能にホルダーに保持し、該コード化情報記録媒体を収納する写真プリント注文袋又は該コード化情報記録媒体を貼付する領域を明示した写真プリント注文シートを注文者に提供し、注文者は見本写真パネル等を閲覧して写真を選択し、選択した写真に対応するコード化情報記録媒体を順次写真プリント注文袋に収納又は写真プリント注文シートに貼り付けることにより写真プリントの注文を行うものである。
【００２１】
また、本発明に係る写真プリント注文システムの第２の形態は、見本写真をパネル又は冊子に貼付すると共に、各々の見本写真に対応する位置に、見本写真を特定する写真特定情報をコード化して記録したコード化情報を読み取り可能に記録又は媒体として貼付し、注文者は見本写真パネル等を閲覧して写真を選択し、予め設けた注文受付端末のコード化情報読み取り手段を用いて選択した写真に対応するコード化情報記録媒体を順次読み取ることにより写真プリントの注文を行うものである。
【００２２】
このようなコード化情報記録媒体を用いることにより、注文作業を簡便にして注文ミスを防止すると共に、注文内容を自動的に読み取り可能とすることにより、読み取り作業や集計作業の負担を軽減しミスの発生を防止することができる。
【００２３】
【実施例】
上記した本発明の実施の形態についてさらに詳細に説明すべく、本発明の実施例について図面を参照して説明する。
【００２４】
［実施例１］
まず、本発明の第１の実施例に係る写真プリント注文用掲示物及び写真プリント注文システム並びに写真プリント注文方法について、図１乃至図１５を参照して説明する。図１は、本発明の第１の実施例に係る写真プリント注文システムの構成を模式的に示す図であり、図２乃至図５は、見本写真掲示物の構成例を示す図である。また、図６は、写真プリントの注文形態を示す図であり、図７乃至図１４は、そのバリエーションを示す図である。又、図１５は、写真プリント注文手順を示すフローチャート図である。
【００２５】
図１に示すように、本実施例の写真プリント注文システム１は、学校の行事に同行して写真を撮影する写真撮影業者３と、撮影した写真のフィルムを回収し、見本写真をプリントして見本写真パネルや見本写真アルバム等の写真プリント注文用掲示物を作成し、また、写真プリント注文袋や写真プリント注文シートを回収して注文を集計し写真プリントの数焼きを行うラボ４と、提供された見本写真パネルや見本写真アルバムを閲覧し、注文を希望する見本写真に対応する画像データ又は写真フィルムのコマを特定する情報（以下、写真特定情報と呼ぶ。）が記録され、ホルダーに保持されたコード化情報記録媒体を取り外して注文を行う注文者２とにより構成される。また、ラボ４には、コード化情報記録媒体の情報を自動的に読み取るコード化情報読み取り手段４ａと、フィルムを現像する現像手段４ｂと、フィルムからプリントを作成するプリント作成手段４ｃとを備えている。
【００２６】
なお、以下の説明では、写真特定情報や写真プリント注文に付随する情報を記録するコード化情報記録媒体としてバーコードを例にして説明するが、コード化情報記録媒体は写真特定情報をコード化された情報として記録可能なものであればよく、ＲＦＩＤ（Ｒａｄｉｏ  Ｆｒｅｑｕｅｎｃｙ  Ｉｄｅｎｔｉｆｉｃａｔｉｏｎ）タグのようにＩＣに写真特定情報を記録し電磁的手段を用いて情報の読み出しを行うものであってもよい。また、写真撮影を行う写真撮影業者３と写真プリントの作成を行うラボ４とを別々に構成しているが、写真撮影業者３にコード化情報読み取り手段４ａやフィルムの現像手段４ｂ、写真プリントの作成手段４ｃを有している場合にはこれらを別々に構成する必要はない。
【００２７】
また、図２（ａ）に示すように、ラボ４で作成されて学校等で展示される見本写真パネル５ａは、例えば、写真撮影業者３が撮影したフィルムから作成した見本写真６が一覧形式で表示され、各々の見本写真６にはその写真を特定する写真特定情報に対応付けられた数字や文字、記号等（以下、見本写真識別番号７と称する。）が表示されると共に、複数のコード化情報記録媒体９を取り外し可能に保持するホルダー１０ａが設けられている。
【００２８】
なお、見本写真６の掲示方式は上記構成に限定されず、例えば、図３に示すように、見本写真６と見本写真識別番号７とが対応付けられて表示される見本写真パネル５ａと、見本写真識別番号７と該見本写真識別番号７で特定される見本写真６に対応するコード化情報記録媒体９を保持するホルダー１０ａとを備えたコード化情報記録媒体保持シート５ｂとが別体として設けられる構成とすることもできる。ここで、注文者２は見本写真パネル５ａの見本写真６を見てコード化情報記録媒体保持シート５ｂのホルダー１０ａから対応するコード化情報記録媒体９を取り外して注文を行うため、見本写真パネル５ａとコード化情報記録媒体保持シート５ｂとは近接する位置に配置されることが好ましいが、各々のパネルには相対応する見本写真識別番号７が表示されているため、離れた位置に配置されても構わない。また、各々のパネルにおける見本写真６又はホルダー１０ａの配置は特に限定されないが、同じ配列で配置すれば見本写真６に対応するコード化情報記録媒体９が選択しやすくなり好ましい。
【００２９】
また、図２及び図３では、コード化情報記録媒体９を取り外し可能に保持する方法としてコード化情報記録媒体９をホルダー１０ａに格納する構成としているが、複数のコード化情報記録媒体９を確実に保持し、容易に取り外しできる構造であればよく、例えば、図４（ａ）に示すように、フック１０ｂをコード化情報記録媒体９に設けた穴に通して保持する構成としてもよく、また、図４（ｂ）に示すように、コード化情報記録媒体９をロール状に形成し、フック１０ｂで引き出し可能に保持する構成としてもよい。また、裏面に弱い粘着性を有するシール状のコード化情報記録媒体９ａとし、図４（ｃ）に示すように、見本写真６近傍に貼り付けておき、注文者２が引き剥がす構成とすることもできる。
【００３０】
更に、図２乃至図４では、見本写真６を掲示する写真プリント注文用掲示物をパネル状とし、注文者２が見やすい場所に掲示する構成としたが、図５に示すように、見本写真６を回覧可能な程度の大きさの台紙に貼り付けて、この台紙を複数枚重ねたアルバム状の見本写真アルバム５ｃとすることもできる。この場合、見本写真パネル５ａは壁等に固定されその向きが大きく変わることがないが、見本写真アルバム５ｃは様々な向きで回覧され、又、台紙を重なるために突起を設けることができない。従って、見本写真アルバム５ｃの形態では、シール状コード化情報記録媒体９ａを台紙に貼り付ける構成が好ましいと言える。なお、各々の台紙に貼付する見本写真６の数、配列、台紙の枚数等は任意に設定できるのは言うまでもない。
【００３１】
そして、注文者２は見本写真パネル５ａ又は見本写真アルバム５ｃを閲覧し、各々の見本写真６に対応する位置に保持されたコード化情報記録媒体９を取り外して写真プリントの注文を行うが、注文の形態として大別して２つの形態が考えられる。その一つの形態は、図６（ａ）に示すように、例えば、学年、クラス、氏名等の注文者に関する情報を記入する注文者情報記入欄１１ａや、必要に応じて、学校に対して予め与えられた学校コードや各々の生徒に対して予め与えられた生徒コード等のコード化情報が記録された注文者情報記録欄１１ｂが設けられ、その内部にコード化情報記録媒体９を収納可能な写真プリント注文袋１１を各々の注文者２に配布し、この写真プリント注文袋１１に注文者２が選択した見本写真６に対応するコード化情報記録媒体９を収納して注文する方法である。
【００３２】
もう一つの形態は、図６（ｂ）に示すように、例えば、Ｂ５判サイズ等の台紙に、コード化情報読み取り手段４ａによる自動読み取りが可能なようにコード化情報記録媒体９を貼付する位置を明示したコード化情報記録媒体貼付領域８ａと、学年、クラス、氏名等の注文者に関する情報を記入する注文者情報記入欄８ｂと、必要に応じて、学校に対して予め与えられた学校コードや各々の生徒に対して予め与えられた生徒コード等のコード化情報が記録された注文者情報記録欄８ｃとが設けられた写真プリント注文シート８を各々の注文者２に配布し、写真プリント注文シート８に注文者２が選択した見本写真６に対応するコード化情報記録媒体９を貼付して注文する方法である。上記いずれの方法を用いるかは見本写真６の枚数、注文者２の数などを勘案して適宜選択することができるが、ラボ４のコード化情報読み取り手段４ａによる読み取りの容易さを考慮すると写真プリント注文シート８を用いる形態の方がより好ましいといえる。
【００３３】
そして、このコード化情報記録媒体９を写真プリント注文袋１１に収納又は写真プリント注文シート８に順番に貼付することによりプリントの注文を行うことができるが、例えば、同じ写真を複数枚注文する場合には、その見本写真６に対応するコード化情報記録媒体９を必要枚数分だけ取り外し、写真プリント注文袋１１に収納したり写真プリント注文シート８に貼り付ければよい（図６では、０００１の写真を１枚、０００２の写真を２枚注文する場合を示している）。
【００３４】
図６に示す構成は本発明の写真プリント注文システム１の基本構成であるが、写真プリント注文用掲示物や写真プリント注文シート８に工夫を凝らすことにより様々な形態で写真プリントの注文を行うことができる。例えば、写真プリント注文シート８に関しては、図７に示すように写真プリント注文シート８を注文枚数（例えば、１枚用、２枚用等）毎に分割したり、枚数毎に写真プリント注文シート８を設け、希望する枚数の領域にコード化情報記録媒体９を貼り付け、コード化情報読み取り手段４ａで領域を認識することにより枚数を指定することもできる（図７では、０００１の写真と０００２の写真を各１枚、０００３の写真を２枚注文する場合を示している）。
【００３５】
また、注文する枚数の他に注文する写真のサイズを特定する場合には、例えば、図８に示すように写真プリント注文シート８をサイズ（例えば、Ｌ判、２Ｌ判等）毎に分割したり、サイズ毎に写真プリント注文シート８を設け、希望するサイズの領域にコード化情報記録媒体９を貼り付け、コード化情報読み取り手段４ａで領域を認識することによりサイズを指定することもできる（図８では、０００１の写真と０００２の写真をＬ判で、０００３の写真を２Ｌ判で注文する場合を示している）。
【００３６】
同様に写真の注文に関する他の条件（例えば、写真に予め定められた記念文字やワンポイントイラスト等を入れるか否か等、以下、文字入れ有り／無しと呼ぶ）を設定する場合には、その条件を選択できるように写真プリント注文シート８を複数の領域に分割したり、複数の写真プリント注文シート８を設ける構成とすればよい。例えば、図９に示すように、サイズをＬ判又は２Ｌ判、文字入れの有り／無しを選択できるように写真プリント注文シート８を４つの領域に分割して、希望する条件の領域にコード化情報記録媒体９を貼り付けることもできる（図９では、０００１の写真と０００２の写真をＬ判、文字入れ無しで、０００３の写真をＬ判、文字入れ有りで、０００４の写真を２Ｌ判、文字入れ無しで、０００５の写真を２Ｌ判、文字入れ有りで注文する場合を示している）。
【００３７】
また、図１０（ｂ）に示すように、１つの注文に対して複数のコード化情報記録媒体９を貼付できるように写真プリント注文シート８を区分し、一方、図１０（ａ）に示すように、写真番号を記録したコード化情報記録媒体９以外に、プリントサイズを指定するコード化情報記録媒体９や文字入れの有り無しを指定するコード化情報記録媒体９を保持するホルダー１０ａを設けておき、写真プリント注文シート８の各々の領域に写真番号を特定するコード化情報記録媒体９とプリントサイズを指定するコード化情報記録媒体９と文字入れの有り無しを指定するコード化情報記録媒体９等を貼付する構成とすることもできる（図１０では、０００１の写真に関しては２Ｌ判で、０００２の写真に関しては２Ｌ判、文字入れ有りで注文する場合を示している）。
【００３８】
上記方法は、コード化情報記録媒体９に１種類の情報のみを記録しておき、コード化情報記録媒体９を貼付する写真プリント注文シート８を複数の領域に分割したり、複数のコード化情報記録媒体９を貼り付けることによってプリント枚数やプリントサイズ、文字入れの有り／無し等の条件を設定する方法であるが、コード化情報記録媒体９に複数の情報を記録することもできる。例えば、図１１に示すように、各々の見本写真６に対してＬ判注文用と２Ｌ判注文用の２種類のコード化情報記録媒体９を設け、各々のコード化情報記録媒体９には写真番号とプリントサイズの２種類の情報を記録しておき、例えば、写真番号０００１の写真を２Ｌ判で注文する場合は、２Ｌ判注文用と記載されたホルダー１０ａからコード化情報記録媒体９を取り外し、写真プリント注文袋１１に格納又は写真プリント注文シート８に貼り付けることもできる。同様に、図１２に示すように、写真番号とプリントサイズと文字入れ有り／無しの３種類の情報を記録した４種類（Ｌ判／文字入れ無し、Ｌ判／文字入れ有り、２Ｌ判／文字入れ無し、２Ｌ判／文字入れ有り）のコード化情報記録媒体９を各々のホルダー１０ａに保持し、所望の注文に対応するコード化情報記録媒体９を写真プリント注文袋１１に格納又は写真プリント注文シート８に貼付する構成とすることもできる。
【００３９】
また、コード化情報記録媒体９には１つの情報のみを記録し、バーコード以外の方法で他の条件を設定することもできる。例えば、図１３に示すように、写真プリント注文シート８の各々のコード化情報記録媒体貼付領域８ａ近傍に、貼付したコード化情報記録媒体９で特定される写真に対する他の条件を設定する注文条件記入欄８ｄを設けマークシート等で他の条件を設定する構成とすることもできる（図１３では、０００１の写真はＬ判、文字入れ無しで、０００２の写真は２Ｌ判、文字入れ無しで、０００３の写真は２Ｌ判、文字入れ有りで注文する場合を示している）。
【００４０】
更に、コード化情報記録媒体９が貼付された写真プリント注文シート８はラボ４のコード化情報読み取り手段４ｂで自動的に読み取られるため、例えば、コード化情報記録媒体９が汚れていたり、貼付位置がずれている等により読み取り漏れが生じる場合も考えられる。そこで、例えば、図１４に示すように、写真プリント注文シート８に、注文した写真の枚数を記入する注文枚数記入欄８ｅを設けておき、コード化情報読み取り手段４ｂで読み取ったコード化情報記録媒体９の枚数と注文枚数記入欄８ｅに記入された値とが一致しない場合はオペレータが注文内容を確認するようにしてもよい。また、コード化情報読み取り手段４ｂでコード化情報記録媒体９の向きが限定される場合には、コード化情報記録媒体９を上下左右で非対称となるように形成し（例えば、台形としたり突起を設ける等）、その形状に対応して写真プリント注文シート８のコード化情報記録媒体貼付領域８ａを表示しておくことによって読み取りミスを防止することができる。
【００４１】
次に、このような構成の写真プリント注文システム１を用いて、写真撮影業者３に写真撮影を依頼してから注文者２が所望のプリントを入手するまでの手順について、図１５のフローチャート図を参照して説明する。なお、以下の説明では、裏面に粘着性を有するコード化情報記録媒体９を写真プリント注文シート８に貼り付けて写真プリントの注文を行う場合について説明するが、コード化情報記録媒体９を写真プリント注文袋１１に収納して注文する場合も同様に適用することができる。
【００４２】
まず、ステップＳ１０１で、注文者２（例えば、学校）は修学旅行、運動会、入学式、卒業式等の行事を計画し、その計画を写真撮影業者３に通知する。そして、ステップＳ１０２で、写真撮影業者３は行事に同行して生徒が万遍なく写るようにスナップ写真や集合写真を撮影する。なお、本実施例の写真プリント注文方法で利用する写真は写真撮影業者３が撮影したもののみとしてもよいが、学校関係者（例えば、生徒や同行する先生等）が撮影した写真も利用してもよい。
【００４３】
次に、ステップＳ１０３で、ラボ４は写真撮影業者３から撮影した写真のフィルムを回収し、回収したフィルムを現像手段４ｂを用いて現像し、プリント作成手段４ｃを用いて撮影順に見本写真６をプリントする。この見本写真６の裏面には、各々の見本写真６を特定するための写真特定情報に対応付けられた数字、文字、記号等７（例えば、写真番号）が印字され、更に、写真プリントを数焼きする際に見本写真６と同じプリントが得られるように、色調、濃度等のプリントデータが印字されることが好ましい。
【００４４】
なお、ここでは、フィルムカメラを用いて写真を撮影し、ラボ４にてフィルムを現像する構成としているが、写真撮影業者３がデジタルカメラを用いて写真を撮影し、写真の画像データを記録媒体に記録して、又は通信ネットワークを介してラボ４に送り、ラボ４では受信した画像データに基づいてプリント作成手段４ｃで写真プリントを作成する構成としてもよく、また、フィルムカメラとデジタルカメラを併用する構成としてもよい。
【００４５】
次に、ステップＳ１０４で、ラボ４は見本写真６を展示用シートに配列し、各々の見本写真６近傍に、見本写真６の裏面に記載された写真特定情報に対応付けられた数字、文字、記号等の見本写真識別番号７を記載し、更に見本写真６に対応するコード化情報記録媒体９をホルダー１０ａに複数保持して、図２に示すような見本写真パネル５ａを作成する。この見本写真パネル５ａには、必要に応じて、学校名や行事名、撮影場所等の写真に関連する情報を記載してもよい。また、図３に示すように見本写真パネル５ａとコード化情報記録媒体保持シート５ｂとを別々に設けたり、見本写真パネル５ａに代えて、又は見本写真パネル５ａと共に、見本写真６を冊子状に整理した見本写真アルバム５ｃを作成してもよい。
【００４６】
次に、ステップＳ１０５で、ラボ４は必要に応じて写真プリント注文シート８の作成を行う。この写真プリント注文シート８は、通常、図６乃至１０、１３、１４に示すような構成で一旦制作しておけばその後の注文でも利用することは可能であるが、例えば、写真プリント注文シート８の注文者情報記録欄８ｃに学校固有の情報や各々の生徒固有の情報が記録されている場合や、注文条件として予め定められた条件（例えば、写真番号、プリントサイズ、文字入れの有り／無し等）以外の条件（例えば、特別の画像処理を施したり、挿入する文字やイラストの種類を選択したり、写真の画像データをＣＤ−Ｒ等の記録媒体に記録する等の条件）を付加する場合には、新たに写真プリント注文シート８を作成する。
【００４７】
次に、ステップＳ１０６で、ラボ４又は写真撮影業者３は作成した見本写真パネル５ａと写真プリント注文シート８とを学校に提供し、学校は見本写真パネル５ａを生徒が閲覧しやすい場所に掲示し、また、各々の生徒に写真プリント注文シート８と写真プリント注文袋１１を配布する。
【００４８】
そして、ステップＳ１０７で、各々の生徒は見本写真パネル５ａに掲示された見本写真６を閲覧し、所望の見本写真６を選択してその見本写真６に対応するコード化情報記録媒体９を取り外し、写真プリント注文シート８に順次貼り付け、写真プリント注文シート８と料金先払いの場合は代金とを写真プリント注文袋１１に入れて写真プリントの注文を行う。
【００４９】
ここで、従来の写真プリント注文方法では、注文内容を手書きで入力するか、又は複雑に構成されたマークシートに記入することにより注文を行っていたため、注文に時間がかかり、注文ミスが生じる場合があったが、本実施例の構成の場合、見本写真６に対応するコード化情報記録媒体９を貼り付けるのみで注文が可能なため、注文作業を簡便にしてミスの発生を防止することができる。
【００５０】
次に、ステップＳ１０８で、写真撮影業者３又はラボ４はコード化情報記録媒体９が貼付された写真プリント注文シート８や見本写真パネル５ａ、代金先払いの場合は写真代金を回収し、ステップＳ１０９で、ラボ４はコード化情報読み取り手段４ａ（バーコードを用いる場合がバーコードリーダ、ＲＦＩＤタグを用いる場合はＲＦＩＤリーダ等）を用いて写真プリント注文シート８に貼付されたコード化情報記録媒体９の情報を読み取り、注文の集計を行う。
【００５１】
ここで、従来の写真プリント注文方法では、注文者２が手書きで注文内容を書き込んだ写真プリント注文票１３を、ラボ４の店員が目視で読み取ってプリントする枚数を集計していたため、写真番号や注文枚数の読み取り、集計に時間や手間がかかり、また、読み取りミスや集計ミスが生じる場合があったが、本実施例の構成の場合、写真番号や枚数等の情報はコード化情報記録媒体９に記録されており、コード化情報読み取り手段４ａで自動的に読み取られるため、注文の集計に要する時間を大幅に短縮することができ、また、読み取り時や集計時のミスの発生を防止することができる。
【００５２】
次に、ステップＳ１１０で、ラボ４は集計した注文に基づいて、プリント作成手段４ｃを用いて所定の枚数の写真プリントを所定のプリントサイズで作成する。その際、見本写真６の裏面に記載されたプリントデータを用いることにより、見本写真６と同様の色調、濃度の写真プリントを作成することができる。また、文字入れ等の特別な要求がある場合には、注文の指示に従って記念文字やワンポイントイラスト等を挿入する。
【００５３】
その後、ステップＳ１１１で、ラボ４に予め設置された専用の仕分け手段を用いて、又は手作業で各々の注文に対応する写真プリントを袋詰めし、写真撮影業者３を介して、又は直接注文者２に納品する。この仕分けに際して、写真プリント注文シート８の注文者情報記録欄８ｃに生徒コード等の注文者２を特定可能な情報を記録しておけば、コード化情報読み取り手段４ａで注文内容を読み取る際に、注文内容と注文者２とを対応付けて記憶することができ、仕分け手段で自動的に仕分けを行うことができる。そして、学校は各々の生徒に配布し、料金後払いの場合は料金を徴収して写真撮影業者３に支払い、一連の写真プリント注文を終了する。
【００５４】
このように、本実施例の写真プリント注文方法を用いることにより、注文者２にとっては、注文内容を手書きで書き込んだり、複雑な構成のマークシートに記入する作業を省略することができ、注文ミスを未然に防止することができる。また、ラボ４にとっては、注文内容の読み取り、集計を専用のコード化情報読み取り手段４ａを用いて行うため、写真プリントの注文処理を迅速に行うことができると共に、読み取りミスや集計ミスを防止することができる。
【００５５】
［実施例２］
次に、本発明の第２の実施例に係る写真プリント注文用掲示物及び写真プリント注文システム並びに写真プリント注文方法について、図１６乃至図１９を参照して説明する。図１６は、本発明の第２の実施例に係る写真プリント注文システムの構成を模式的に示す図であり、図１７及び図１８は、見本写真掲示物の構成例を示す図である。また、図１９は、写真プリント注文手順を示すフローチャート図である。
【００５６】
前記した第１の実施例では、見本写真パネル５ａや見本写真アルバム５ｃに保持したコード化情報記録媒体９を注文者２が取り外し、写真プリント注文袋１１に収納したり写真プリント注文シート８に貼り付けて注文を行ったが、見本写真パネル５ａや見本写真アルバム５ｃに直接、コード化情報を記録又はコード化情報記録媒体９を貼り付けてその場でコード化情報読み取り手段を用いて読み取って注文情報を作成することもできる。そこで、本実施例では、図１に示すように、学校等に注文受付端末１２及びコード化情報読み取り手段１２ａ（バーコードリーダやＲＦＩＤリーダ／ライタ等）を設置し、学校関係者や写真撮影業者３、ラボ４の関係者等のオペレータが注文受付端末１２及びコード化情報読み取り手段１２ａを操作して注文者２が選択した見本写真６に対応する注文情報をその場で作成するようにしている。また、ラボ４にはコード化情報記録媒体９を読み取る代わりに、記録媒体に記録された注文情報や通信ネットワークを介して送信される注文情報を読み取るための注文情報読み取り手段４ｄを備えている。
【００５７】
本実施例の構成の場合、ラボ４で作成されて学校等で展示される見本写真パネル５ａは、例えば、図１７に示すように、写真撮影業者３が撮影したフィルムから作成した見本写真６が一覧形式で表示され、各々の見本写真６にはその写真を特定する写真特定情報に対応付けられた見本写真識別番号７が表示されると共に、コード化情報がパネル上に記録され、又はコード化情報記録媒体９が貼り付けられている。
【００５８】
なお、見本写真６の掲示方式は上記構成に限定されず、第１の実施例と同様に、見本写真６と見本写真識別番号７とが対応付けられて表示される見本写真パネル５ａと、見本写真識別番号７とコード化情報記録媒体９とを備えたコード化情報記録媒体保持シート５ｂとを別体として設けたり、見本写真６を回覧可能な程度の大きさの台紙に貼り付けて、この台紙を複数枚重ねたアルバム状の見本写真アルバム５ｃとすることもできる。また、図１８に示すように、写真番号を記録したコード化情報記録媒体９以外に、プリントサイズを指定するコード化情報記録媒体９や文字入れの有り無しを指定するコード化情報記録媒体９を貼り付ける構成としたり、コード化情報記録媒体９に複数の情報を記録する構成とすることもできる。
【００５９】
このような構成の写真プリント注文システム１を用いて、写真撮影業者３に写真撮影を依頼してから注文者２が所望のプリントを入手するまでの手順について、図１９のフローチャート図を参照して説明する。
【００６０】
第１の実施例と同様に、ステップＳ２０１で、注文者２（例えば、学校）は修学旅行、運動会、入学式、卒業式等の行事を計画し、その計画を写真撮影業者３に通知する。そして、ステップＳ２０２で、写真撮影業者３は行事に同行して生徒が万遍なく写るようにスナップ写真や集合写真を撮影する。次に、ステップＳ２０３で、ラボ４は写真撮影業者３から撮影した写真のフィルムを回収し、回収したフィルムを現像手段４ｂを用いて現像し、プリント作成手段４ｃを用いて撮影順に見本写真６をプリントする。
【００６１】
次に、ステップＳ２０４で、ラボ４は見本写真６を展示用シートに配列し、各々の見本写真６近傍に、見本写真６の裏面に記載された写真特定情報に対応付けられた見本写真識別番号７を記載し、更に見本写真６に対応するコード化情報を記録又はコード化情報記録媒体９を貼り付けて、図１７及び図１８に示すような見本写真パネル５ａを作成する。この見本写真パネル５ａには、必要に応じて、学校名や行事名、撮影場所等の写真に関連する情報を記載してもよい。また、見本写真パネル５ａとコード化情報記録媒体保持シート５ｂとを別々に設けたり、見本写真パネル５ａに代えて、又は見本写真パネル５ａと共に、見本写真６を冊子状に整理した見本写真アルバム５ｃを作成してもよい。
【００６２】
次に、ステップＳ２０５で、ラボ４又は写真撮影業者３は作成した見本写真パネル５ａを学校に提供し、学校は見本写真パネル５ａを生徒が閲覧しやすい場所に掲示すると共に、注文受付端末１２及びコード化情報読み取り手段１２ａを学校に持ち込む。
【００６３】
次に、ステップＳ２０６で、各々の生徒は見本写真パネル５ａに掲示された見本写真６を閲覧し、注文受付端末１２のオペレータ（学校関係者や写真撮影業者３、ラボ４の関係者等）に注文する写真を知らせる。すると、オペレータはコード化情報読み取り手段１２ａを用いて見本写真６に対応するコード化情報記録媒体９を読み取り、注文情報を作成する。
【００６４】
次に、ステップＳ２０７で、写真撮影業者３又はラボ４は、見本写真パネル５ａ、代金先払いの場合は写真代金を回収すると共に注文情報が記録された記録媒体を回収（又は通信ネットワークを介して注文情報を送信）し、ステップＳ２０８で、ラボ４は注文情報読み取り手段４ｄを用いて記録媒体に記録された注文情報や通信ネットワークを介して送信される注文情報を読み取り、注文の集計を行う。
【００６５】
次に、ステップＳ２０９で、ラボ４は集計した注文に基づいて、プリント作成手段４ｃを用いて所定の枚数の写真プリントを所定のプリントサイズで作成する。その後、ステップＳ２１０で、ラボ４に予め設置された専用の仕分け手段を用いて、又は手作業で各々の注文に対応する写真プリントを袋詰めし、写真撮影業者３を介して、又は直接注文者２に納品する。そして、学校は各々の生徒に配布し、料金後払いの場合は料金を徴収して写真撮影業者３に支払い、一連の写真プリント注文を終了する。
【００６６】
このように、本実施例の写真プリント注文方法を用いることにより、注文者２にとっては、注文内容を手書きで書き込んだり、複雑な構成のマークシートに記入する作業を省略することができ、注文ミスを未然に防止することができる。また、ラボ４にとっては、注文受付端末１２で作成された注文情報に従って写真プリントの作成を行えばよいため、写真プリントの注文処理を迅速に行うことができると共に、読み取りミスや集計ミスを防止することができる。
【００６７】
なお、上記実施例では、本発明の写真プリント注文用掲示物及び写真プリント注文システム並びに写真プリント注文方法を学校の行事で撮影される写真の注文に適用したが、本発明は上記実施例に限定されるものではなく、写真撮影業者が撮影した写真を複数のユーザが利用する任意の形態に適用することができ、例えば、観光旅行の写真を参加者が注文する場合や、結婚式の写真を参列者が注文する場合などにも同様に適用することができる。
【００６８】
【発明の効果】
以上説明したように、本発明の写真プリント注文用掲示物及び写真プリント注文システム並びに写真プリント注文方法によれば、学校写真のように写真撮影を業者が行って写真プリントをまとめて注文する形態において、注文者にとっては注文を簡便かつ確実に行うことができ、ラボ等のプリント生産店にとっては注文集計作業を迅速かつ確実に行うことができる。
【００６９】
その理由は、写真プリントの注文を手書きで行うのではなく、見本写真に対応して設けられたホルダーに保持されたバーコード等のコード化情報記録媒体を取り外し、写真プリント注文袋に収納又は写真プリント注文シートに貼付するという簡単な方法を用いて注文を行っているからである。また、ラボは、コード化情報読み取り手段を用いて、写真プリント注文袋に収納された又は写真プリント注文シートに貼付されたコード化情報記録媒体の情報を自動的に読み取ることができるため、注文内容を目視で読み取り、手作業で集計する必要がなくなるからである。
【００７０】
また、学校等に注文受付端末を設置し、見本写真に対応するコード化情報記録媒体をその場で読み取って注文情報を作成することにより写真プリントの注文が可能となるからである。
【図面の簡単な説明】
【図１】本発明の第１の実施例に係る写真プリント注文システムの構成を示す図である。
【図２】本発明の第１の実施例に係る写真プリント注文用掲示物の構成を示す図である。
【図３】本発明の第１の実施例に係る写真プリント注文用掲示物の他の構成を示す図である。
【図４】本発明の第１の実施例に係る写真プリント注文用掲示物におけるコード化情報記録媒体の保持構造を示す図である。
【図５】本発明の第１の実施例に係る写真プリント注文用掲示物の他の構成を示す図である。
【図６】本発明の第１の実施例に係る写真プリントの注文形態を示す図である。
【図７】本発明の第１の実施例に係る写真プリント注文シートの構成を示す図である。
【図８】本発明の第１の実施例に係る写真プリント注文シートの他の構成を示す図である。
【図９】本発明の第１の実施例に係る写真プリント注文シートの他の構成を示す図である。
【図１０】本発明の第１の実施例に係る写真プリント注文用掲示物及び写真プリント注文シートの他の構成を示す図である。
【図１１】本発明の第１の実施例に係る写真プリント注文用掲示物の他の構成を示す図である。
【図１２】本発明の第１の実施例に係る見本写真掲示物の他の構成を示す図である。
【図１３】本発明の第１の実施例に係る写真プリント注文シートの他の構成を示す図である。
【図１４】本発明の第１の実施例に係る写真プリント注文シートの他の構成を示す図である。
【図１５】本発明の第１の実施例に係る写真プリント注文手順を示すフローチャート図である。
【図１６】本発明の第２の実施例に係る写真プリント注文システムの構成を示す図である。
【図１７】本発明の第２の実施例に係る写真プリント注文用掲示物の構成を示す図である。
【図１８】本発明の第２の実施例に係る写真プリント注文用掲示物の他の構成を示す図である。
【図１９】本発明の第２の実施例に係る写真プリント注文手順を示すフローチャート図である。
【図２０】従来の写真プリント注文票の構成を示す図である。
【符号の説明】
１  写真プリント注文システム
２  注文者（学校、生徒）
３  写真撮影業者
４  ラボ
４ａ  コード化情報読み取り手段
４ｂ  現像手段
４ｃ  プリント作成手段
４ｄ  注文情報読み取り手段
５ａ  見本写真パネル
５ｂ  コード化情報記録媒体保持シート
５ｃ  見本写真アルバム
６  見本写真
７  見本写真識別番号
８  写真プリント注文シート
８ａ  コード化情報記録媒体貼付領域
８ｂ  注文者情報記入欄
８ｃ  注文者情報記録欄
８ｄ  注文条件記入欄
８ｅ  注文枚数記入欄
９  コード化情報記録媒体
１０ａ  ホルダー
１０ｂ  フック
１１  写真プリント注文袋
１１ａ  注文者情報記入欄
１１ｂ  注文者情報記録欄
１２  注文受付端末
１２ａ  コード化情報読み取り手段
１３  写真プリント注文票
【図１】
2004333719.tif 000003
【図２】
2004333719.tif 000004
【図３】
2004333719.tif 000005
【図４】
2004333719.tif 000006
【図５】
2004333719.tif 000007
【図６】
2004333719.tif 000008
【図７】
2004333719.tif 000009
【図８】
2004333719.tif 000010
【図９】
2004333719.tif 000011
【図１０】
2004333719.tif 000012
【図１１】
2004333719.tif 000013
【図１２】
2004333719.tif 000014
【図１３】
2004333719.tif 000015
【図１４】
2004333719.tif 000016
【図１５】
2004333719.tif 000017
【図１６】
2004333719.tif 000018
【図１７】
2004333719.tif 000019
【図１８】
2004333719.tif 000020
【図１９】
2004333719.tif 000021
【図２０】
2004333719.tif 000022